【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
窓枠と、前記窓枠よりも薄いガラスや網戸が取り付けられる窓において、
内側を室内側とすると、ガラスや網戸の室外側に、複数の穴が規則的に形成された合成樹脂製の窓用シート材を前記窓枠に貼り付けることで、前記ガラスや網戸との間隔に空気が入り込む空間を形成していることを特徴とするシート材付き窓。
【請求項２】
窓枠と、前記窓枠よりも薄いガラスや網戸が取り付けられる窓において、
内側を室内側とすると、ガラスや網戸の室内側に、複数の穴が規則的に形成された合成樹脂製の窓用シート材を前記窓枠に貼り付けることで、前記ガラスや網戸との間隔に空気が入り込む空間を形成していることを特徴とするシート材付き窓。
【請求項３】
前記複数の穴の開口面積が開口していない面積よりも小さいことを特徴とする請求項１又は２記載のシート材付き窓。
【請求項４】
前記複数の穴の各々は円形であり、その径が３０〜５０ｍｍであり、千鳥状配置であることを特徴とする請求項１又は２記載のシート材付き窓。
【請求項５】
前記合成樹脂製の窓用シート材は、白色、グレー、又は、これらの半透明であることする請求項１又は２記載のシート材付き窓。
【請求項６】
ガラスや網戸が取り付けられる窓に貼り付けられる矩形状の窓用シート材において、合成樹脂製で構成され、規則的な多数の穴が形成され、縦横の直線方向には穴の位置が重ならない部分が所定間隔で形成されていることを特徴とする窓用シート材。
【請求項７】
前記複数の穴の開口面積が開口していない面積よりも小さいことを特徴とする請求項６記載の窓用シート材。
【請求項８】
前記複数の穴の各々は円形であり、その径が３０〜５０ｍｍであり、千鳥状配置であることを特徴とする請求項６又は７記載の窓用シート材。
【手続補正２】
【補正対象書類名】明細書
【補正対象項目名】全文
【補正方法】変更
【補正の内容】
【発明の詳細な説明】
【発明の名称】シート材付きの窓及び窓用シート材
【技術分野】
【０００１】
本発明は、遮光性や断熱性を図ることができるシート材付きの窓及び窓用シート材に関する。
【背景技術】
【０００２】
近年、夏季の強い日差しを避けて、室内の空気を冷却（クールダウン）させるものとして、簾、遮光カーテンを始め、アルミサッシ窓や網戸などに取り付ける遮光シートなど様々な商品が提案されている。これらの日除け対策商品は、エアコンの代替品として、近年のエコロジー活動に合致することでも注目され、また、特に夏の暑さの厳しい時期では、エアコンと併用して用いることで、エアコン温度を２８度（環境庁推奨温度）に保ちつつ室内を快適温度に維持することができる。
【０００３】
例えば、上記アルミサッシ窓や網戸などに取り付けられるものとして、特許文献１には、網戸構体の屋外側の面全体に規則的な多数の穴が空いたシート材を貼り目隠し日除けとする網戸が記載されている。この日除け網戸は、シートを網戸に貼り込み施工することで、光りの反射率の違いによって従来の網戸の通気、防虫機能にさらに目隠し日除けの効果を有している。
また、特許文献２には、窓ガラスや網戸にポリエステルメッシュシートを貼る日除けシートが記載されている。この日除けシートは、窓枠や網戸に沿って貼り合わせることが可能な薄いシートであっても、そのシート厚と孔の開口高さとの関係を調整することによって、直射日光が室内に到達する光線量を減らすことができる効果を有している。
さらに、特許文献３には、規則的な多数の穴が空いたシート材で、窓に貼るための粘着層を有するシートが記載されている。このシートは、貼付時に使用する粘着層への水の量が少量で済み、また、孔が目立たず外観に優れるなどの効果を有している。
【先行技術文献】
【特許文献】
【０００４】
【特許文献１】特開２００４−３６０４３７号公報
【特許文献２】特開２００９−１９７４２８号公報
【特許文献３】特開２０１１−２０７９５０号公報
【発明の概要】
【発明が解決しようとする課題】
【０００５】
しかしながら、窓ガラスや網戸に合成樹脂シートを単に貼り付けるだけでは、室内の温度を「夏は涼しく」して、「冬は暖かく」する、この２つの相反する要請に応えるために十分ではない。また、室内の明るさを保ちながら夏は涼しく冬は暖かくしなければならない。さらに、窓ガラスや網戸などに直接シート材を貼り付けると、その接着剤が窓ガラスに付着して、接着剤が剥がれ難くなり、美観を害するなどの問題を有する。
【０００６】
そこで本発明の目的は、夏は涼しくして冬は暖かくすることができるシート材付きの窓及び窓用シート材を提供することにある。
【課題を解決するための手段】
【０００７】
本願発明者は、ガラスや網戸との間隔に空気が入り込む空間を形成する工夫をすることで、比較的簡単な構造で夏は涼しく冬は暖かくすることができるようにした。
【０００８】
本発明のシート材付きの窓は、窓枠と、前記窓枠よりも薄いガラスや網戸が取り付けられる窓において、内側を室内側とすると、ガラスや網戸の室外側に、複数の穴が規則的に形成された合成樹脂製の窓用シート材を前記窓枠に貼り付けることで、前記ガラスや網戸との間隔に空気が入り込む空間を形成していることを特徴とする。また、窓枠と、前記窓枠よりも薄いガラスや網戸が取り付けられる窓において、内側を室内側とすると、ガラスや網戸の室内側に、複数の穴が規則的に形成された合成樹脂製の窓用シート材を前記窓枠に貼り付けることで、前記ガラスや網戸との間隔に空気が入り込む空間を形成していることを特徴とする。ここでの穴の形状は、丸、楕円、四角形や六角形などの多角形など、その形状は問わない。
本発明によれば、多数の穴が規則的に形成された合成樹脂製の窓用シート材を窓枠に貼り付けることで、ガラスや網戸との間隔に空気が入り込む空間が形成され、この空間の空気層を介在させて、室内では夏は涼しく冬は暖かくする。網戸に使用するときは、網戸をカーテンやブラインドのように使用することができるとともに、部屋に入る風を適度に抑制する効果を有する。
【０００９】
本発明としては、前記複数の穴の開口面積が開口していない面積よりも小さいことが好ましい。
本発明によれば、矩形状の合成樹脂製の窓用シート材に複数の穴を形成して、外側（窓枠側、室外側）では開口面積を小さくすることで、外側では空気層の滞留が長くなり窓全体として調和のとれた遮光性と断熱性を維持する。前記合成樹脂製の窓用シート材は、矩形状を呈して、その外周側では、前記穴が形成されていない領域が設けられていることが好ましい。
【００１０】
【００１１】
網戸の場合は、その張替えを考慮するとき、サッシの内側（室内側、部屋側）に窓用シート材を貼り付けることが好ましい。
【００１２】
【００１３】
本発明の窓用シート材としては、上記内容を考慮したものとし、ガラスや網戸が取り付けられる窓に貼り付けられる矩形状の窓用シート材において、合成樹脂製で構成され、規則的な多数の穴が形成され、縦横の直線方向には穴の位置が重ならない部分が所定間隔で形成されていることを特徴とし、また、所定間隔をおいて、その外周側では、複数の穴の開口面積が開口していない面積よりも小さく形成されていることを特徴とする。また、前記複数の穴の開口面積が開口していない面積よりも小さいことを特徴とし、又、前記複数の穴の各々は円形であり、その径が３０〜５０ｍｍであり、千鳥状配置であることを特徴とする。
【発明の効果】
【００１４】
本発明によれば、多数の穴が規則的に形成された合成樹脂製の窓用シート材を窓枠に貼り付けることで、ガラスや網戸との間隔に空気が入り込む空間が形成され、この空間の空気層を介在させて、室内では夏は涼しく冬は暖かくする。したがって、夏は冷房費用を抑制し冬は暖房費用を抑制することが可能になる。また、紫外線カットにも貢献する。また、温度差の激しい領域の窓の外周側に空気層を滞留させる領域を内側（中央側）よりも大きくすることで、効率的な遮光性と断熱性の実現と、開放感や景観に対する阻害性を緩和する。
【図面の簡単な説明】
【００１５】
【図１】本発明を適用した実施の形態のシート材付き窓を例示する正面図であり、（ａ）は、から見た状態の正面図であり、（ｂ）は内側（室内側）から見た状態の正面図である。
【図２】図１のシート材付き窓における窓用シート材背面に粘着材を取り付けた状態を説明する窓用シート材の背面図である。
【図３】図１のシート材付き窓における窓用シート材を窓枠に取り付ける状態を説明する斜視図である。
【図４】図１のシート材付き窓の構造を模式的に説明する側面図である。
【図５】本発明の窓用シート材を説明する正面図である。
【図６】図１のシート材付き窓に形成された空気層を説明する斜視図である。
【図７】本発明の他の実施例を説明するシート材付き窓を例示する正面図である。
【図８】図７のシート材付き窓に形成されたガラスの温度を模式的に説明する側面図であり、図８（ａ）は、窓用シート材を窓枠に取り付けた直後の図であり、図８（ｂ）は、窓用シート材を窓枠に取り付けて数時間経過後の図である。
【図９】本発明の他の実施例を説明する窓用シート材の正面図である。
【図１０】本発明の他の実施例を説明する窓用シート材の正面図である。
【図１１】本発明の他の実施例におけるシート材付き窓の空気層の温度を模式的に説明する側面図である。
【図１２】本発明の他の実施例を説明するシート材付き窓を例示する正面図である。
【図１３】図１２のシート材付き窓に形成された空気層の温度を模式的に説明する側面図である。
【図１４】本発明の他の実施例を説明するシート材付き窓を例示する正面図である。
【図１５】本発明の他の実施例を説明する窓用シート材の正面図である。
【図１６】本発明の実施例におけるシート材付き窓による実験例を説明する斜視図である。
【図１７】本発明の実施例におけるシート材付き窓による実験例を説明する斜視図である。
【発明を実施するための形態】
【００１６】
以下、本発明を実施するための具体的な形態について図面を用いて説明する。
【００１７】
本実施の形態は、窓ガラスＧのある窓枠（サッシ）Ｓ１に本発明に係る窓用シート材１を適用したシート材付き窓１０に係るものであり、図１（ａ）（ｂ）に示すように、四周枠のサッシＳ１に合成樹脂製の窓用シート材１が貼り付けられている。サッシＳ１には、両面接着剤シート２を介して合成樹脂製の窓用シート材１を貼り付ける。本実施の形態では、図２に示すように、貼り付けに必要な箇所として、窓枠Ｓ１に対応するシート材１の外周側に、接着剤付きテープを介して貼り付ける。また、本実施の形態では、左右一対の他方の窓枠（サッシ）Ｓ２には、網戸Ａが取り付けられ、この網戸Ａ用の窓枠Ｓ２に対しても合成樹脂製の窓用シート材１１が貼り付けられている。
【００１８】
窓用シート材１は、図３に示すように、窓枠Ｓ１の外周に沿って貼り付けられる。これにより、図４に示すように、窓用シート材１とガラスＧとの間隔に空間３が形成される。シート材１は、窓ガラスＧに直接、合成樹脂製の窓用シート材１を貼り付けられる場合と異なり、窓枠Ｓ１に貼り付けて空気の一時的な滞留を生じさせることで、室内では夏は涼しく冬は暖かくする機能を発揮する。合成樹脂製の窓用シート材１は、窓枠Ｓの屋外側に貼り付けられている。窓の開閉に支障がないようにするためである。しかし、空気の一時的な滞留を生じさせる空間３が形成されれば、窓枠Ｓ１の屋内側に貼り付けることも可能であり、また、窓枠Ｓ１の屋外側と屋内側の両方に貼り付けることも可能である。
そして、合成樹脂製の窓用シート材１は、ポリエチレン系の合成樹脂材で、厚さが０．２〜２．０ｍｍのものが使用されている。不燃材として建築基準法の要件を満たすものが好ましい。ポリエチレン系の合成樹脂材で厚さが所定厚のものは、太陽光や雨風に対する耐久性や耐光性を有する。また、室内に光を多く取り入れるため、透明がかった白色のものを使用しているが、グレーなどを使用しても良く、半透明のものを使用しても良い。
一方、網戸Ａのほうにも、窓用シート材１がサッシ部分に貼り付けられている。網戸Ａに窓用シート材１を貼り付けると、網戸Ａが介在されていることで、空気の滞留が生じる。このため、室内は夏は涼しく冬は暖かくなる。また、遮光性もより高くなり、また、網戸Ａを保護する機能も有する。したがって、網戸Ａをカーテンやブラインドのように使用することができるとともに、部屋に入る風を適度に抑制する効果を有する。網戸Ａ用の窓用シート材１は黒色のものを使用したが、黒色に限らずその他の色を使用しても良い。また、網戸Ａの張替えを考慮するとき、サッシの内側（部屋側）に窓用シート材１を貼り付けることが好ましい。
【００１９】
また、窓用シート材１には、径が同一な穴４が形成され、シート全体に規則的に配置されている。本実施の形態では、円形の穴４であるが、この形状や大きさに限定されるものではなく、使用される窓の大きさなどによって適宜変更可能である。穴４の形状は、丸、楕円、四角形や六角形などの多角形、菱形などでも良い。本実施の形態の合成樹脂製の窓用シート材１には、直径３０ｍｍ〜直径７０ｍｍ程度の穴４が形成されている。そして、窓用シート材１は、その外周側では、穴４を形成しない所定の領域Ｒが設けられている。特に窓枠周辺部に雨や雪が付着すると、室内の熱を大きく下げることや、外部景色を眺めるときには、周辺部よりも中央部の開口が影響することなどから、窓枠周辺部に空気が滞留する割合を高めるためである。このように複数の穴４を形成するとき、穴４が丸の場合の開口率としては、１０〜２０％程度でも、空気層を一定範囲で滞留させることができ、部屋の中に差し込む光の量も十分に確保できる。本実施の形態のガラス窓Ｇのサッシの大きさは縦横各々９５ｃｍであり、上記穴のない領域Ｒは１５〜２２ｃｍ程度確保することが好ましい。丸の場合の径の大きさとしては直径３０ｍｍ〜７０ｍｍ程度が好ましい。
また、窓用シート材１には、直線方向には穴４の位置が重ならない部分が所定間隔で形成されている。したがって、図５に示すように、穴４を切断することなく、例えば破線箇所に沿って、所定長さに切断できる。縦方向のみならず横方向にも直線方向には穴４の位置が重ならない部分が所定間隔５で形成され、横方向にも、穴を切断することなく、所定長さに切断できる。
【００２０】
図６は、本実施の形態のシート材付き窓１０の原理を説明する図である。夏季においては、窓用シート材１が日陰を作るとともに、熱と紫外線をカットする。また、窓ガラスＧと窓用シート材１の間の空気層３が熱の伝わりを防止する断熱効果を発揮する。図１６と図１７に示すようにして、真夏の昼間で実験したところ、室内の温度を１０℃近くも下げることが出来た。次に、冬季においては、空気層３で空気の滞留が一時的であるが生じるので、室内の熱を逃がさないようにする。特に窓枠周辺部に雨や雪が付着すると、室内の熱を大きく下げるが、上記窓用シート材１の穴４の間隔を大きくすることで、室内の熱が外部に逃げる事態を防止する。図１６と図１７に示すようにして、雪の日で実験したところ、室内の温度を１０℃近くも維持できることが分かった（窓用シート材を使用しない場合よりも室内温度を高くすることができる。）。図１６と図１７に示すように、一方側のガラスＧのサッシに窓用シート材を配し、他方側の網戸Ａのサッシに窓用シート材を配すると、室内に入り込む風の量を網戸Ａ側を使用して（一方側と他方側の重なり具合を利用して）調整することができる。
【００２１】
ここで、窓用シート材２１は、図７に示すように、矩形状を呈して、窓枠Ｓの外周側では、複数の穴４の密度が小さく、複数の穴４の開口面積が開口していない面積よりも小さく形成され、内側では、複数の穴４の密度が大きく、複数の穴４の開口面積が開口していない面積よりも広く形成されることができる。また、これにより、窓枠Ｓの外周側の方が内側よりも空気の滞留時間が長くなるように工夫している。これは実験の結果、窓枠Ｓの外周側の方が内側よりも温度変化が激しいことが判明したことを考慮したものであり、特に、冬場での温度差は、窓枠Ｓの外周側の方が内側よりも温度変化が激しい傾向にあることを解消するものである。すなわち、図８（ａ）に示すように、窓用シート材２１を窓枠Ｓ１に取り付けた直後では、ガラスＧは、外側の方が内側より温度が低く温度差が生じているが、窓用シート材２１を窓枠Ｓ１に貼り付けて数時間経過すると、図８（ｂ）に示すように、空気層３での空気移動により、ガラスＧでの外側と内側との温度差が小さくすることができる。
【００２２】
また、窓用シート材３１は、図９に示すように、窓枠Ｓの外周側では、複数の穴４ａの径が小さく形成され、内側では、外側の複数の穴４ａよりも大きな穴４ｂが形成されるように、複数の穴径を窓用シート材３１の外側と内側とで異なる２通りの穴径とすることができる。図９の例では、外側の小さな穴４ａの直径が３０〜４０ｍｍであり、内側の大きな穴４ｂの直径が５０〜７０ｍｍ程度である。これにより、窓枠Ｓの外周側の方が内側よりも空気の滞留時間が長くなるように工夫している。
【００２３】
また、窓用シート材４１は、図１０に示すように、窓枠Ｓの外周側では、複数の穴４ａの径が小さく形成され、その内側では、外側の複数の穴４ａよりも大きな穴４ｂが形成され、さらにその内側では、その内側の複数の穴４ｂより大きな穴４ｃが形成されるように、複数の穴径を窓用シート材４１の外側から内側にかけて、大、中、小と異なる３通りの穴径とすることができる。図１０の例では、外側の小さな穴４ａの直径が略２０〜３０ｍｍであり、その内側の大きな穴４ｂの直径が略４０〜５０ｍｍであり、さらにその内側の大きさ穴４ｃの直径が略６０〜７０ｍｍである。これにより、窓枠Ｓの外周側の方が内側よりも空気の滞留時間が長くなるように工夫している。
【００２４】
また、窓用シート材１は、図１１に示すように、二重構造にすることも可能である。すなわち、窓枠Ｓ１に取り付けられた窓用シート材１の上に、接着剤シート２を介して、窓用シート材１を貼り付ける。これにより、窓用シート材１とガラスとの間の空気層３に加えて、２枚の窓用シート材３間にも空気層３が形成されることで、熱の遮光率が高まる。なお、２枚の窓用シート材３は、同じ径の穴４が形成されたものを使用することで、重ね合わせても穴４を閉じることはない。
【００２５】
また、窓用シート材１は、図１２に示すように、窓枠Ｓ１の下側に届かないように、その縦片を窓枠Ｓ１の縦片より短く形成して、窓枠Ｓの上と左右の所定高さ位置で配することもできる。このように、前記実施の形態とは異なり、窓枠サッシＳ１の全面に貼り付ける必要はなく、下方側のみ一部を除き貼り付ける。下方側の開口は、僅かで良い（１０ｍｍ程度でも雨水を排出するには十分である）。これにより、窓枠Ｓ１の下側から雨水や雪水などを逃げることが可能となる。また、図１３に示すように、冬場は、空気層３の冷えた空気は下降するが、下方側の開口からその冷たい空気が逃げ易く、空気層の温度変化を利用して、空気層の温度低下を防止することも可能となる。なお、図１４に示すように、窓枠の上側をも開放させて、開口領域を広くすることも可能である。
【００２６】
また、窓用シート材５１は、図１５に示すように、矩形状を呈して、その上方側では、複数の穴４ｂの径が大きく形成され、下方側では、上方側の複数の穴４ｂよりも小さな穴４ａが形成されることができる。これにより、例えば、夏は、上方側の穴４ｂの径を大きく下方側の穴４ａの径を小さくした窓用シート５１を窓枠に配置することで、上方側から出入りし易くなった温かい空気は、冷えると下降して、下方側は、小さな穴４ａの径であるので、その冷たい空気を滞留させることができ、空気層全体の温度が上昇するのを防止する。一方、冬は、夏と窓用シート５１の上下方向を逆に窓枠に配置することで、下方側から空気が入り易くなった冷たい空気は、温かくなって上昇して、上方側は、小さい穴４ａの径であるので、その温かい空気を滞留させることができ、空気層全体の温度が低下するのを防止する。なお、窓用シート材５１に広告を表示したり、営業用の表示を付したりすることも可能である。
【００２７】
以上、本発明は、上述した実施の形態に限定されるものではない。例えば、窓用シート材１〜５１としては、ビニールシート、ゴム素材シート等も使用可能であり、遮熱特性があり、耐光性・耐熱性・耐久性を有し、雨を遮断し、風や雨、雪等に耐える材料であれば良い。樹脂製としては、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリアミド、ポリイミド、ポリメタクリル酸メチル、ポリブテン、ポリブタジエン、ポリメチルペンテン、エチレン酢酸ビニル共重合体、エチレン（メタ）アクリル酸共重合体、エチレン（メタ）アクリル酸エステル共重合体、ＡＢＳ樹脂、アイオノマー樹脂などの樹脂からなるフィルム、発泡フィルム、又は、それらの積層フィルム等を使用することができる。このように、本発明は、その趣旨を逸脱しない範囲で適宜変更が可能であることはいうまでもない。
【符号の説明】
【００２８】
１、１１，２１，３１，４１，５１        窓用シート材、
２                                      粘着材、
３，３ａ，３ｂ                          空気層、
４，４ａ，４ｂ                          穴、
１０                                    シート材付き窓、
Ｓ１，Ｓ２                              窓枠（サッシ）、
Ａ                                      網戸、
Ｇ                                      ガラス